(57)【要約】【課題】建物の出隅コーナーでの外壁構築作業の容易化を図ることができ、また、足場を不要にし得る外壁パネルおよび外壁施工方法を提供する。【解決手段】この外壁パネル５は、建物１００の出隅コーナーに取り付けられる外壁パネルであって、直交する二面を有する複数の外壁面材５１が上下に並べられて縦胴縁５２ａで互いに連結されており、上記二面における各面の集合である各外壁部５３には、当該外壁パネル５を上記建物１００に固定する固定機能および当該外壁パネルの高さ位置を調整する調整機能を有するファスナー６が、それぞれ水平方向に２個以上設けられている。【選択図】図３
2020105754.tif 000002
【特許請求の範囲】
【請求項１】
建物の出隅コーナーに取り付けられる外壁パネルであって、交差する二面を有する外壁面材が上下に複数並べられて下地材で互いに連結されており、上記二面における各面の集合である各外壁部には、少なくとも当該外壁パネルの高さ位置を調整する調整機能を有するファスナーが、水平方向に２個以上設けられていることを特徴とする外壁パネル。
【請求項２】
請求項１に記載の外壁パネルにおいて、上記ファスナーは、各外壁部における上記出隅コーナーの隅柱に対面しない箇所に設けられていることを特徴とする外壁パネル。
【請求項３】
請求項２に記載の外壁パネルにおいて、各外壁部における上記出隅コーナーの隅柱に対面しない位置に上記下地材として縦胴縁を２本以上備えており、上記ファスナーが上記縦胴縁に設けられていることを特徴とする外壁パネル。
【請求項４】
請求項２に記載の外壁パネルにおいて、各外壁部における上記出隅コーナーの隅柱に対面しない位置に上記下地材として縦胴縁を備えるとともに、上記外壁部が交差する箇所に上記下地材として交差部縦胴縁を備えており、上記交差部縦胴縁と上記縦胴縁とに連結された横胴縁に、または当該横胴縁と上記縦胴縁とに上記２個以上のファスナーが設けられていることを特徴とする外壁パネル。
【請求項５】
請求項１〜請求項４のいずれか１項に記載の外壁パネルにおいて、上記ファスナーは、当該外壁パネルを上記建物に固定する固定機能も有することを特徴とする外壁パネル。
【請求項６】
請求項１〜請求項４のいずれか１項に記載の外壁パネルにおいて、上記ファスナーとは別に、当該外壁パネルを上記建物に固定する固定機能を有する固定用ファスナーを備えることを特徴とする外壁パネル。
【請求項７】
請求項１〜請求項６のいずれか１項に記載の外壁パネルにおいて、当該外壁パネルの天端および下端には、上下に配置される他の外壁パネルに係合する係合構造部を有することを特徴とする外壁パネル。
【請求項８】
請求項７に記載の外壁パネルにおいて、上記外壁面材が不燃断熱材を鋼板で挟み込んだ金属サンドイッチパネルからなることを特徴とする外壁パネル。
【請求項９】
請求項１〜請求項８のいずれか１項に記載の外壁パネルを用いた外壁パネルの施工方法であって、建物の出隅コーナーに取り付けようとする外壁パネルについて、既に外壁パネルが取り付けられた階の上階側の床上で、各外壁部の２個以上のファスナーを作業者が操作して、各外壁部における天端の水平出しを行うとともに各外壁部の高さ位置を調整し、この取り付け中の外壁パネルの下端を上記の既に固定された外壁パネルの天端に接合させることを特徴とする外壁パネルの施工方法。
【発明の詳細な説明】
【技術分野】
【０００１】
この発明は、建物の出隅コーナーに取り付けられる外壁パネル、および、この外壁パネルを用いた外壁パネルの施工方法に関する。
【背景技術】
【０００２】
特許文献１には、建物躯体への取付状態で上下方向に並ぶ複数枚の外壁パネルを、上記建物躯体への取付け用の下地となり、上記外壁パネルの横幅方向に並んでそれぞれ上下方向に延びる複数本の胴縁に、上記建物躯体の外壁パネル取付け箇所とは別の場所で組み付けて下地一体型の外壁パネルユニットとする作業に用いる地組架台であって、自立する地組架台本体と、この地組架台本体にそれぞれ取付けられ、上記外壁パネルユニットのユニット化前の上記複数本の各胴縁を、ユニット化後の配置関係でかつ立ち姿勢として、その下端および上部で位置決め状態に保持する複数の下端固定治具および上側固定治具と、を備える、外壁パネルの地組架台が開示されている。
【先行技術文献】
【特許文献】
【０００３】
【特許文献１】特開２０１６−９４７８６号公報
【発明の概要】
【発明が解決しようとする課題】
【０００４】
しかしながら、上記特許文献１に開示された平板形状の外壁パネルを用いて建物の出隅コーナーの外壁を構築する場合、これら平板形状の外壁パネルを建物の躯体に取り付ける際に交差する外壁パネル同士を接合して出隅頂点部を形成するために屋外からの作業が必要になる。一方、外壁パネルを出隅コーナーに合わせてＬ字状に予め構成しておくことが考えられる。しかしながら、このようなＬ字状の外壁パネルとする場合でも、当該外壁パネルの建物躯体への取り付け作業の容易化を図る必要がある。また、上記Ｌ字状の外壁パネルを建物の出隅コーナーに取り付けることにおいて、足場を不要にすることが望まれる。
【０００５】
この発明は、上記の事情に鑑み、建物の出隅コーナーでの外壁構築作業の容易化を図ることができ、また、足場を不要にし得る外壁パネルおよび外壁施工方法を提供することを課題とする。
【課題を解決するための手段】
【０００６】
この発明の外壁パネルは、上記の課題を解決するために、建物の出隅コーナーに取り付けられる外壁パネルであって、交差する二面を有する外壁面材が上下に複数並べられて下地材で互いに連結されており、上記二面における各面の集合である各外壁部には、少なくとも当該外壁パネルの高さ位置を調整する調整機能を有するファスナーが、水平方向に２個以上設けられていることを特徴とする。
【０００７】
上記の構成であれば、各外壁部には、当該外壁パネルを建物に固定する固定機能および当該外壁パネルの高さ位置を調整する調整機能を有するファスナーが２個以上設けられているので、各外壁部のこれら２個以上のファスナーを用いて、各外壁部における天端の水平出しを行うとともに各外壁部の高さ位置を調整することが的確に行えるようになる。これにより、建物の出隅コーナーでの外壁構築作業の容易化を図ることができる。
【０００８】
上記ファスナーは、各外壁部における上記出隅コーナーの隅柱に対面しない箇所に設けられているのが望ましい。これによれば、上記ファスナーの操作を上記隅柱の干渉を受けることなく行うことができ、外壁パネルの取り付けの作業性を向上できる。
【０００９】
各外壁部における上記出隅コーナーの隅柱に対面しない位置に上記下地材として縦胴縁を２本以上備えており、上記ファスナーが上記縦胴縁に設けられていてもよい。
【００１０】
或いは、各外壁部における上記出隅コーナーの隅柱に対面しない位置に上記下地材として縦胴縁を備えるとともに、上記外壁部が交差する箇所に上記下地材として交差部縦胴縁を備えており、上記交差部縦胴縁と上記縦胴縁とに連結された横胴縁に、または当該横胴縁と上記縦胴縁とに上記２個以上のファスナーが設けられていてもよい。
【００１１】
上記ファスナーは、当該外壁パネルを上記建物に固定する固定機能も有するものでもよい。或いは、上記ファスナーとは別に、当該外壁パネルを上記建物に固定する固定機能を有する固定用ファスナーを備えてもよい。
【００１２】
当該外壁パネルの天端および下端に、上下に配置される他の外壁パネルに係合する係合構造部を有していてもよい。このような係合構造部を有する外壁パネルにおいて、上記２個以上のファスナーを用いることで、上下に配置された外壁パネル同士を互いに的確に係合させることができる。このような係合構造部を有する外壁パネルにおいて、上記外壁面材が不燃断熱材を鋼板で挟み込んだ金属サンドイッチパネルからなっていてもよい。
【００１３】
また、この発明の外壁パネルの施工方法は、上記の外壁パネルを用いた外壁パネルの施工方法であって、建物の出隅コーナーに取り付けようとする外壁パネルについて、既に外壁パネルが取り付けられた階の上階側の床上で、各外壁部の２個以上のファスナーを作業者が操作して、各外壁部における天端の水平出しを行うとともに各外壁部の高さ位置を調整し、この取り付け中の外壁パネルの下端を上記の既に固定された外壁パネルの天端に接合させることを特徴とする。
【００１４】
上記方法であれば、各外壁部の２個以上のファスナーを用いるので、各外壁部における天端の水平出しを行うとともに各外壁部の高さ位置を調整することが的確に行える。これにより、建物の出隅コーナーでの外壁構築作業の容易化を図ることができる。また、上階側の床上での上記ファスナーを用いた取り付け作業となるので、足場を不要にし得る。
【発明の効果】
【００１５】
本発明であれば、建物の出隅コーナーでの外壁構築の容易化を図ることができ、また、足場を不要にし得るという効果を奏する。
【図面の簡単な説明】
【００１６】
【図１】本発明の実施形態に係る出隅コーナー用の外壁パネルを示した斜視図である。
【図２】同図（Ａ）は図１の外壁パネルにおける外壁面材の上部および下部を示した断面図であり、同図（Ｂ）は図１の上下に並ぶ外壁面材の嵌め込み箇所の断面図である。
【図３】図１の外壁パネルを用いた外壁施工方法を示した概略の斜視図である。
【図４】図１の外壁パネルと隅柱と床スラブを示した説明図である。
【図５】図１の外壁パネルに設けられたファスナーを示した斜視図である。
【図６】図１の外壁パネルがファスナーによって出隅コーナーに取り付けられる工程を示した斜視図である。
【図７】本発明の他の実施形態に係る出隅用の外壁パネルを用いた外壁施工方法を示した概略の斜視図である。
【発明を実施するための形態】
【００１７】
以下、この発明の実施の形態を添付図面に基づいて説明する。
図１に示すように、この実施形態の出隅コーナー用の外壁パネル５は、交差する二面（直角に交差する場合は直交する二面）を有する略Ｌ字形状の外壁面材５１を上下に複数枚並べて下地材５２で相互に連結された構造を有する。上記外壁パネル５は、例えば、上記下地材５２として複数の縦胴縁５２ａを備えている。これら縦胴縁５２ａは、角鋼管からなっているが、開放断面形状を有する鋼材が用いられてもよい。
【００１８】
上記外壁面材５１は、例えば、図２（Ａ）および図２（Ｂ）に示すように、不燃断熱材５１ａを鋼板５１ｂ、５１ｃで挟み込んだ金属サンドイッチパネルである。この金属サンドイッチパネルは、２枚の外壁面材５１を上下に並べた場合、下段に位置する外壁面材５１の上端面に形成された横幅方向に長い２か所の凹部５１ｄに、上段に位置する外壁面材５１の下端面に形成された横幅方向に長い２か所の凸部５１ｅが嵌まり込むことにより、上下の外壁面材５１が互いに面外方向に位置ずれしないように係合される係合構造部を有する。
【００１９】
また、上記外壁パネル５において、上記外壁面材５１における上記二面の各面の集合である各外壁部５３には、図３にも示すように、当該外壁パネル５を建物１００に固定するファスナー６が先付け固定されている。各ファスナー６は、上記外壁パネル５の固定機能および当該外壁パネル５の高さ位置を調整する調整機能を有する。この実施形態では、上記ファスナー６は、各外壁部５３において、それぞれ水平方向に２個備えられるが、２個以上備えても構わない。また、上記ファスナー６は、図４にも示すように、各外壁部５３における上記出隅コーナーの隅柱１０１に対面しない（隠れない）箇所に設けられている。
【００２０】
なお、上記出隅コーナー用の外壁パネル５の隣には、図示しない平板状の外壁パネルが配置されて互いに接合される。この平板状の外壁パネルと上記外壁パネル５との接合位置（縦目地位置）は、床スラブ側からの目地処理が可能となるように、隅柱１０１に対面しないで隅柱１０１から離れた位置となるようにしている。そして、このように、縦目地処理位置が、隅柱１０１から離れて位置することになると、各外壁部５３の左右端側から隅柱１０１と外壁パネル５の間の空間が見えにくくなり、外壁パネル５の出隅角（出隅頂点部）の位置合わせ（特に鉛直方向）を目視で確認することが難しくなる。また、外壁パネル５の出隅角を直接触ることもできない。
【００２１】
そして、上記建物１００において、上記隅柱１０１の下側には下階の床スラブ１０２が存在しており、この床スラブ１０２の上側には上階の床スラブ１０３が存在している。図３に示すように、下側の外壁パネル５は、その上部側が下階の床スラブ１０２の床面から突き出て設けられており、上記ファスナー６によって上記床スラブ１０２に固定されている。一方、上側の外壁パネル５は、取り付け途中の段階にあり、その上部側が上階の床スラブ１０３の床面から突き出て配置される。そして、この上側の外壁パネル５の下端を下側の外壁パネル５の天端に接合させるとともに、当該上側の外壁パネル５を、上記ファスナー６を用いて、上記床スラブ１０３に固定する作業が行われる。
【００２２】
図５および図６に示すように、上記床スラブ１０２、１０３の縁端部には、例えば、断面コ字状の鋼材１０５が設けられており、この鋼材１０５の上面部にＬアングル７が溶接固定されている。また、上記Ｌアングル７の水平板部における上記ファスナー６が取り付けられる箇所には、台座７１が溶接固定されている。そして、上記台座７１には、寸切ボルト７２がねじ込まれて立てられた状態で溶接により固定されている。
【００２３】
上記ファスナー６は、Ｌ字状本体部６１を備えている。このＬ字状本体部６１は、その縦片部が２本のボルト６２によって上記縦胴縁５２ａに先付け固定することで回転不能にされている。なお、この実施形態では、上記Ｌ字状本体部６１の上記縦片部と上記縦胴縁５２ａとの間に、上記Ｌアングル７の鉛直板部の板厚と同等の板厚を有する板部材６７を介在させることで、上記縦片部と上記縦胴縁５２ａとの間に上記Ｌアングル７の鉛直板部が嵌るようにしているが、これに限らない。また、上記Ｌ字状本体部６１の縦片部と横片部とに溶接固定される例えば三角形補強板を設けてもよい。
【００２４】
上記Ｌ字状本体部６１の横片部には、鉛直方向に螺子孔が形成されており（ナット溶接でもよい）、この螺子孔に頭付きの調整ボルト６３が螺合されている。この調整ボルト６３の下端半球状部が上記台座７１の上面に接触する。上記調整ボルト６３を締め込むと、上記Ｌ字状本体部６１が上方向に移動し、外壁パネル５を上方向に移動させることができる。上記調整ボルト６３を緩めれば、外壁パネル５は自重によって降下する。
【００２５】
また、上記Ｌ字状本体部６１の上記横片部には、鉛直方向に挿通孔６４が形成されており、上記外壁パネル５をクレーンで吊り上げて降ろしていく際に、上記挿通孔６４に上記寸切ボルト７２を挿通させることができる。また、上記ファスナー６は、上記寸切ボルト７２に螺合されるナット６５および、上記ナット６５と上記挿通孔６４の間に介在される座金６６を備える。上記ナット６５の締め込みによる力は、上記座金６６を介して上記Ｌ字状本体部６１に付与される。すなわち、上記ナット６５を締め込むことで外壁パネル５を押し下げる方向の力が付与される。一方、上記ナット６５を緩めた状態では、上記調整ボルト６３が上記台座７１の上面に接触する位置で上記外壁パネル５が静止する。この実施形態では、上記ファスナー６は、上記調整ボルト６３による外壁パネル５に対する押し上げ力と、上記ナット６５による外壁パネル５に対する押し下げ力とを発生させることによって、当該外壁パネル５を上記建物１００に固定する固定機能および当該外壁パネル５の高さ位置を調整する調整機能を有するものとなる。また、この実施形態では、上記ファスナー６は、図５、図６に示すように、下地材５２の芯に対して、上記調整ボルト６３が水平方向にずれていたとしても、縦胴縁５２ａにファスナー６が回転不能に固定されていることで、外壁パネル５に上記押し上げ力を伝達することができる。
【００２６】
図３に示したように、建物１００の出隅コーナーに取り付けようとする上側の外壁パネル５については、既に下側の外壁パネル５が取り付けられた階よりも上階の床スラブ１０３に上記ファスナー６によって固定されることになる。ここで、上側の外壁パネル５がクレーンで吊り上げられて降下され、上記ファスナー６と縦胴縁５２ａとの間の隙間に上記Ｌアングル７の鉛直板部を嵌め、上側の外壁パネル５の下端を下側の外壁パネル５の天端に係合させる。
【００２７】
上階の床スラブ１０３上では、例えば、レーザー光による墨出しが行われており、床スラブ１０３をフロア基準とした上記外壁パネル５の天端の高さ位置が示される。上記床スラブ１０３で外壁パネル５の固定作業を行う作業者は、上記ファスナー６を操作し、上記外壁パネル５を降下または上昇させることにより、上側の外壁パネル５の天端を上記墨出しの位置に合致させて、上側の外壁パネル５の下端を下側の外壁パネル５の天端に係合させる。このとき、床スラブ１０３上の他の作業者は、レーザー光による墨出し位置と、上側の外壁パネル５の天端位置とを目視して、上記固定作業を行う作業者に、上記外壁パネル５の降下または上昇の指示を出すこともできる。
【００２８】
ここで、外壁パネル５の各外壁部５３には、上記のように、当該外壁パネル５を建物１００に固定する固定機能および当該外壁パネル５の高さ位置を調整する調整機能を有するファスナー６が水平方向に２個設けられているので、これら２個のファスナー６を用いて、各外壁部５３における天端の水平出しを行うとともに各外壁部５３の高さ位置を調整することが的確に行える。換言すれば、２個のファスナー６を用い、いずれかを支点とし、他を力点とし、外壁パネル５の出隅角（出隅頂点部）を作用点として、外壁パネル５の出隅角（出隅頂点部）の位置調整（特に鉛直方向）を行うことができる。例えば、各外壁部５３における上記２個のファスナー６のうち、まず、隅柱１０１から遠い側のファスナー６を操作して、当該隅柱１０１から遠い側で当該外壁パネル５の高さ位置を調整し、次いで、隅柱１０１に近い側のファスナー６を操作して、当該隅柱１０１から近い側でも当該外壁パネル５の高さ位置を調整し、当該外壁パネル５の天端を水平に位置させることができる。なお、また、上述の操作とは逆に、近い側のファスナー６を先に操作し、次に隅柱１０１から遠い側のファスナー６を操作して調整することもできる。各外壁部５３にファスナーを１個だけ設けた構成では、このような梃の動作による位置調整を行うことはできない。
【００２９】
また、この実施形態では、上記２個以上のファスナー６は、各外壁部５３における上記出隅コーナーの隅柱１０１に対面しない箇所に設けられている。すなわち、上記隅柱１０１に隠れない操作容易な箇所で上記２個のファスナー６を操作し、また、当該外壁パネル５の天端の水平出しを、上記隅柱１０１に隠れずに見えている目視可能な範囲の確認で行うことができる。ここに、出隅に用いる上記外壁パネル５が左右２枚の別個の平板パネルを組み付けたものではなく、二面を一体的に有するＬ字の外壁面材５１を用いたものであるため、上記のように目視可能範囲の位置調整でも、外壁パネル５の出隅角（出隅頂点部）の位置調整が可能となる。なお、外壁パネル５における水平方向の調整は、例えば、パネル面に吸盤掴み具を取り付け、作業者がこの吸盤掴み具を掴んで動かすことで修正できる。
【００３０】
他の実施形態の外壁パネルを図７に基づいて説明する。この実施形態の外壁パネル５は、上記二面の外壁部５３における上記出隅コーナーの隅柱１０１に対面しない位置に上記下地材５２として各々１本の縦胴縁５２ａを備えるとともに、上記二面の外壁部５３が交差する箇所に上記下地材５２として１本の交差部縦胴縁５２ｂを備えており、上記交差部縦胴縁５２ｂと上記縦胴縁５２ａとに、横胴縁５４を上側と下側において２本固定している。そして、上側の横胴縁５４と上記縦胴縁５２ａとに上記ファスナー６がそれぞれ１個ずつ設けられている。なお、上記２個のファスナー６が上側の横胴縁５４に備えられる態様でもよい。
【００３１】
また、実施形態の外壁パネル５の施工方法は、建物の出隅コーナーに取り付けようとする外壁パネル５について、既に外壁パネル５が取り付けられた階の上階側の床（床スラブ１０３）上で、各外壁部５３の２個以上のファスナー６を作業者が操作して、各外壁部５３における天端の水平出しを行うとともに各外壁部５３の高さ位置を調整し、この取り付け中の外壁パネル５の下端を上記の既に固定された外壁パネル５の天端に接合させる。
【００３２】
上記方法であれば、各外壁部５３の２個以上のファスナー６を用いるので、各外壁部５３における天端の水平出しを行うとともに各外壁部５３の高さ位置を調整することが的確に行える。これにより、建物の出隅コーナーでの外壁構築の容易化を図ることができる。また、上階側の床上での上記ファスナー６を用いた取り付け作業となるので、足場を不要にし得る。
【００３３】
また、以上の例では、上記外壁パネル５は、その天端および下端に、上下に位置する外壁部５３同士が互いに係合するための係合構造部を有する。このような係合構造部を有する外壁パネル５において、上記２個以上のファスナー６を用いることで、上下に配置された外壁面材同士を互いに的確に係合させることができる。このような係合構造部を有する外壁パネル５の外壁面材５１としては、金属サンドイッチパネルに限らず、他の構造を有するパネルでもよい。
【００３４】
また、上記ファスナー６は、当該外壁パネル５を上記建物１００に固定する固定機能および当該外壁パネル５の高さ位置を調整する調整機能を有したが、このようなファスナー６に限らない。上記ファスナー６に替えて当該外壁パネル５の高さ位置を調整する調整機能だけを有するファスナーを用いるとともに、このファスナーとは別に当該外壁パネル５を上記建物１００に固定する固定機能を有する固定用ファスナーを設けてもよい。
【００３５】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３６】
５      ：外壁パネル
６      ：ファスナー
７      ：Ｌアングル
５１    ：外壁面材
５１ａ  ：不燃断熱材
５１ｂ  ：鋼板
５１ｃ  ：鋼板
５１ｄ  ：凹部（係合構造部）
５１ｅ  ：凸部（係合構造部）
５２    ：下地材
５２ａ  ：縦胴縁
５２ｂ  ：交差部縦胴縁
５３    ：外壁部
５４    ：横胴縁
６１    ：Ｌ字状本体部
６２    ：ボルト
６３    ：調整ボルト
６４    ：挿通孔
６５    ：ナット
６６    ：座金
６７    ：板部材
７１    ：台座
７２    ：寸切ボルト
１００  ：建物
１０１  ：隅柱
１０２  ：床スラブ
１０３  ：床スラブ
１０５  ：鋼材
【図１】
2020105754.tif 000003
【図２】
2020105754.tif 000004
【図３】
2020105754.tif 000005
【図４】
2020105754.tif 000006
【図５】
2020105754.tif 000007
【図６】
2020105754.tif 000008
【図７】
2020105754.tif 000009